(57)【特許請求の範囲】
【請求項１】
平行する一対のサイド固定枠に対し、少なくとも水平案内部を有し、その水平案内部同士を平行配置となるようにした一対の案内杆が、それら両サイド固定枠の上端面に直交状配置に組み合わされた上、一対のサイド固定枠の中、少なくとも何れか一方のサイド固定枠は、その交叉部において、案内杆の軸芯上または軸芯に平行した線上を同軸芯方向に移動可能、且つ所望箇所での仮固定可能となるようにした構造であり、また、一対の案内杆は、夫々、交叉部において各サイド固定枠上端面に沿ってサイド固定枠軸心方向に移動可能、且つ所望箇所での仮固定可能になるようにした構造で連結される一方、各サイド固定枠は、夫々、案内杆との交叉部に挟まれた範囲内であって、且つ互いに対応した位置関係となる箇所に、その上面から所定深さであって、且つ上面に対して所定角度となるようにした電動ノコ刃用の通過スリットまたは一部Ｖ字切欠きを含む通過スリットを形成してなるものとしたことを特徴とする電動ノコ用留め接ぎ加工枠具。
【請求項２】
平行する一対のサイド固定枠に対し、少なくとも水平案内部を有し、その水平案内部同士を平行配置となるようにした一対の案内杆が、それら両サイド固定枠の上端面に直交状配置に組み合わされた上、一対のサイド固定枠の中、少なくとも何れか一方のサイド固定枠は、その交叉部において、案内杆の軸芯上または軸芯に平行した線上に設けた長孔を案内として同軸芯方向に移動可能、且つ所望箇所での仮固定可能となるようにした構造であり、また、一対の案内杆は、夫々、交叉部において各サイド固定枠上端面に設けたスライド溝に嵌合したままサイド固定枠軸心方向に移動可能、且つ所望箇所での仮固定可能になるようにした構造で連結される一方、各サイド固定枠は、夫々、案内杆との交叉部に挟まれた範囲内であって、且つ互いに対応した位置関係となる箇所に、その上面から所定深さであって、且つ上面に対して所定角度となるようにした電動ノコ刃用の通過スリットまたは一部Ｖ字切欠きを含む通過スリットを形成してなるものとしたことを特徴とする電動ノコ用留め接ぎ加工枠具。
【請求項３】
サイド固定枠は、少なくとも通過スリットまたは一部Ｖ字切欠きを含む通過スリット形成箇所を含む部分が、木製、プラスチック製その他ノコ刃を損傷させない素材製のものに形成された、請求項１または２何れか記載の電動ノコ用留め接ぎ加工枠具。
【発明の詳細な説明】
【０００１】
【発明の目的】
この発明は、木製建具等木製枠材の留め接ぎ加工に、木工用電動工具の一つである電動ノコの使用を可能にする補助具に関するものであり、特に木製枠材相互の角部や枠材と飾枠板との突合せ部等を直角あるいは任意角度に接合する「留め接ぎ」に際し、枠材や飾枠板等で、殊に大巾部材の各端部の内隅突合せ部分を正確且つ簡便に４５度同士、あるいは６０度同士等といった所定角度であって、且つ部材巾の中途までの切落し加工がなし得るようにする新規な構造の電動ノコ用留め接ぎ加工枠具を提供しようとするものである。
【０００２】
【従来の技術】
建築物建具としてのアルミサッシュは、外回り用建具の分野で既に略１００％に近い達成率を示して最早往年の木製建具に取って変わり、今では襖や障子等といった室内用建具にまでも進出して木製建具を脅かす勢いがあり、その素材特性からくる耐久性や気密性等といった機能上の利点を最大限に生かすと共に、規格化、工場生産性、維持管理の容易性等といった部材取扱い上での優位点等も味方し、更には、被膜処理等について秀れた表面処理技術等が開発、実用化され続けていく以上、この傾向に様変りを生じさせる要因は、殆ど見出だし難いというのが実情であろう。
【０００３】
しかし、このアルミサッシュも、本来金属素材であるという事実に相違はなく、したがって、更に技術開発が進み、仮令外観上において天然木に見紛うような高品質の物が実現されたとしても、その素材そのものからくるところの断熱性能や感触、質感、雰囲気等といった点において、我が国伝統の木工技術を生かした木製建具を凌駕する領域にまで到達するとは到底想定することはできず、古来から木肌の温もりに慣れ親しみ、木の文化に育まれてきた国民性からして、そうした木材固有の特性は何物にも代え難く、事実、アルミサッシュ自体が、少なくともその質感においてこよなく天然木に近いものを追い求め続けている事実が、それを如実に物語っているところでもあり、しかも、最近の過度に進み過ぎた物質文明に対する反省や、あるいはエコロジー的見地等も加わって、そうしたアルミサッシュ全盛の傾向に飽き足らず、改めて木製建具の価値観を見直し始め、可能な限りその採用に拘る人々が確実に増え続けてきているのも事実である。
【０００４】
この木製建具を始めとする我が国の木工技術も、アルミニウムやプラスチック等といった新素材の加工技術同様に、効率的且つ高性能の各種電動工具や機械設備の登場により、その殆どが予め工場加工が施され、末端現場作業者には殆ど加工負担を要しない完成品あるいは半完成品で提供されるようになり、それらを現場にただ据え付けて適宜手段で固定するだけ、あるいは単に部材を組み立ててネジ止めするだけといった、極めて簡便で専門色の薄い作業工程によって済ますことができる時代へと推移してきてしまったことから、我が国の誇るべき伝統技術、例えば高度で精緻な仕口加工や接ぎ手加工をする機会もなければ、またその必要性もなくなり、当然必要のない技術については自然消滅の一途を辿り続け、指導的立場となるべき職人の数は目に見えて減ってしまい、ここにきて、急に価値観が変わって木材が見直され始め、伝統技術を必要とすることになったからといって、一旦廃れ始めてしまった技術を再構築しようにも、そのための人的資源の確保さへ難しい状況となってしまっている。
【０００５】
しかし、旺盛な消費経済社会においては、その消費者ニーズを先取りしてでも自由競争に打ち勝つていかなければならず、建具の多くはアルミサッシュで済ませてしまっても、豪華さを必要とする居間や座敷等といった中心となる部屋の出入り口ドアや引き違い戸あるいは障子、襖等、目玉とする最小限の建具だけでも木製建具を採用し、相当の豪華さと精緻さとを加えた高級なものにしようとする傾向が建築業者側に現れ始め、また、消費者側にも、そうした一点豪華主義的な対応によってでも本物の良さを享受したいとする願望も見受けられるようになってきている。
【０００６】
こうした状況を踏まえ、本願出願人は、長年木工業界に従事してきて伝統技術の推移を目の当たりにしながら、衰退を憂えているだけではなく、確実に伝承して時代の変遷にも呼応していけるよう、斬新なデザインと伝統技術との融合を図るべく試作、実験を繰り返し、研鑽、努力を続ける傍ら、その成果をその都度積極的に建具競技会その他へ出品しては評価を確認し、幾多の試行錯誤を続けてきた結果、効率的で高性能且つ比較的安価になってきている木工用機械器具、特に電動ノコさへ上手く使い切ることができれば、従来、かなり高度な熟練度を要するとされていた我が国の精緻な木工技術の一つである、大巾の部材を使ってその内隅の留め接ぎ部分に様々な装飾模様を取り入れ、重厚感に溢れ、豪華仕様とした建具枠であっても、従前どおりに精巧に製作、再現可能になるという確信の下、既に自らにおいて出願済みとなっているとおりの平成１０年特許願第３７４９１３号「木製建具枠用框組み構造、およびその形成方法」を実現化すること成功している。
【０００７】
この「木製建具枠用框組み構造、およびその形成方法」は、木製建具の枠材とすべき一枚板を加工し、その内隅となる部分に大型の雲型湾曲輪郭形成用の突出半片を含む留め接ぎ部３を形成するため、略８ｃｍとする枠材巾に突出半片形成巾の９ｃｍを加えた板巾約１７ｃｍに対して、約その半分にも達する程のかなり大きな範囲に渡って、留め接ぎ用の４５度の切落し加工を正確に施し、木製建具の四隅とも、その枠用框組み構造とする留め接ぎを、可能な限り目立たせず、恰も一枚板を刳り抜いて実現したようにし、その部分に豪華な装飾加工が施せるようにしたものであった。
【０００８】
これは、左右一対の縦框の上下端で、上框、下框との各突合せほぞ差し接ぎ部分を除く仕口箇所とその直近内側、入り隅となる箇所とに渡り、４５度に切断されて連続する主留め接ぎ部および飾り留め接ぎ部（この部分だけ縦框内側縁から突出状となって突出半片となる。）からなる二重留め接ぎ部を一枚板から作り出されるようにしなければならないものであり、一枚の建具でもその四隅に四箇所（切断加工数ではその２倍の八切断）、通常四枚両開きとなることの多い建具では都合十六箇所、したがって三十二切断の仕口加工を正確に実施する必要があり、相当高度な技能を有する建具職人にとっても、極めて困難な作業の一つになることから、従前においてもこの二重留め接ぎ部を採用する建具が作り出されることは極めて稀であり、まして比較的大雑把な切断加工にしか向いていない電動ノコを駆使しての切断加工は、その機構上からも、また作業者の技能からしても殆ど不可能に近い筈のものであった。
【０００９】
この発明は、自らが完成することに成功した「木製建具枠用框組み構造、およびその形成方法」の開発過程で得た様々な知見に基づき、従前からの手挽きノコに代わる最近の電動ノコを使い、従前のように高度な熟練度を要することもなく、比較的経験の浅い技術者であっても確実に目的の「留め接ぎ加工」を実現し得るようにする有効な手段を創出すべく、その開発、研究を続け、幾多の試行錯誤を重ねてきたところ、遂にここにきて、大巾の部材端部を常に正確、且つ何枚でも繰り返して所定角度に切り落とす「留め接ぎ」加工を、簡便且つ確実に達成できるようにするという成果を得るに至ったものであり、以下では、この発明の新規な構造からなる電動ノコ用留め接ぎ加工枠具を、具体的な実施例と共に、その構成を詳細に説示していくことにする。
【００１０】
【発明の構成】
図面に示す幾つかの代表的な実施例からも容易に理解されるように、この発明の電動ノコ用留め接ぎ加工枠具は、基本的に次のような構成を要旨とするものである。
即ち、平行する一対のサイド固定枠に対し、少なくとも水平案内部を有し、その水平案内部同士を平行配置となるようにした一対の案内杆が、それら両サイド固定枠の上端面に直交状配置に組み合わされた上、一対のサイド固定枠の中、少なくとも何れか一方のサイド固定枠は、その交叉部において、案内杆の軸芯上または軸芯に平行した線上を同軸芯方向に移動可能、且つ所望箇所での仮固定可能となるようにした構造であり、また、一対の案内杆は、夫々、交叉部において各サイド固定枠上端面に沿ってサイド固定枠軸心方向に移動可能、且つ所望箇所での仮固定可能になるようにした構造で連結される一方、各サイド固定枠は、夫々、案内杆との交叉部に挟まれた範囲内であって、且つ互いに対応した位置関係となる箇所に、その上面から所定深さであって、且つ上面に対して所定角度となるようにした電動ノコ刃用の通過スリットまたは一部Ｖ字切欠きを含む通過スリットを形成してなる電動ノコ用留め接ぎ加工枠具である。
【００１１】
そして、この発明の電動ノコ用留め接ぎ加工枠具には、平行する一対のサイド固定枠に対し、少なくとも水平案内部を有し、その水平案内部同士を平行配置となるようにした一対の案内杆が、それら両サイド固定枠の上端面に直交状配置に組み合わされた上、一対のサイド固定枠の中、少なくとも何れか一方のサイド固定枠は、その交叉部において、案内杆の軸芯上または軸芯に平行した線上に設けた長孔を案内として同軸芯方向に移動可能、且つ所望箇所での仮固定可能となるようにした構造であり、また、一対の案内杆は、夫々、交叉部において各サイド固定枠上端面に設けたスライド溝に嵌合したままサイド固定枠軸心方向に移動可能、且つ所望箇所での仮固定可能になるようにした構造で連結される一方、各サイド固定枠は、夫々、案内杆との交叉部に挟まれた範囲内であって、且つ互いに対応した位置関係となる箇所に、その上面から所定深さであって、且つ上面に対して所定角度となるようにした電動ノコ刃用の通過スリットまたは一部Ｖ字切欠きを含む通過スリットを形成してなる構成を要旨とする電動ノコ用留め接ぎ加工枠具も包含される。
【００１２】
電動ノコは、既に多用されることとなっている単相１００／２００Ｖ、直流整流子電動機を使って回転駆動するようにした着脱自在の丸ノコ（２０００ないし２５００回転／分程度）仕様のものであって、０ないし４５度の範囲の切断角度調整機構付きのものであり、加工対象木材の表面に当てがい、スライドさせていくベース、作業者が操作するためのハンドルおよび補助ハンドル、安全用の保護カバー等が装備されている、図８に代表されるような機構のものであれば、各部構造の多少の違いに拘らず殆どのものが対象となり得る。
【００１３】
サイド固定枠は、加工対象となる木材、特に建具枠や建築物の造作、家具、額縁その他の用に供するための各種サイズの角材を、単独あるいは複数枚横並び当接状としたものの両側面に当てがい、それら加工対象の木材所定箇所に、この発明の電動ノコ用留め接ぎ加工枠具を仮固定状とする機能を果たすものであり、全体を木製角材あるいはプラスチック材のようにノコ刃を痛める慮の少ない素材で構成する外、後述の一対の案内杆に挟まれた箇所の全体あるいは上方側一部だけを木製あるいはプラスチック製ようにノコ刃を痛める慮の少ない素材製のものとし、その余をより強度のあるアルミ材やスチール材からなるもので連結一体化してなるものとすることも可能であり、また、加工対象となる木材の背寸法に対応できるよう、サイド固定枠自体の背寸法を張設可能な構造、例えば下端面に所定厚の調整材を重ねていくようにした構造、ネジ棒を下端面から出し入れ自在に組み合わせた構造、あるいは、上下二分割したサイド固定枠となし、両者間にパンタグラフ式惹起に採用されている逆ネジ棒を介在するようにした構造のもの等を採用したり、加工対象となる木材への当接状態が安定するよう、当接面側にゴム板等の緩衝材が積層、一体化されたものとすることも可能である
【００１４】
このサイド固定枠で、後述の一対の案内杆に挟まれた範囲となる箇所の上端面適所からは、留め接ぎ加工に必要な傾斜切断加工のための傾斜角度、一般には４５度の角度で下方中途所定距離（採用するノコ刃サイズによって決定される距離）まで、アサリを考慮したノコ刃の厚さに応じた所定隙間の通過スリットが形成されたものとしなければならず、この通過スリットは、サイド固定枠の軸芯何れか一方側だけに傾斜した一本の通過スリットからなるものとする外、後述する実施例にも採用しているとおり、サイド固定枠の軸芯両方向に対象に傾斜した二本の通過スリットからなるハの字状、逆ハ字状のものやＸ字状のもの（当然Ｘ字状の上方側はｖ字状にカットされたものとなる。）としたり、場合によっては、逆ハ字状とした二本の通過スリットの下端が同一箇所に達し、上方側がカットされてＶ字状となってしまったものでもも差支えはなく、一対のサイド固定枠夫々に形成される通過スリットは、同一直線状において同一となるように対応したものに形成されていなければならない。
【００１５】
案内杆は、上記した一対のサイド固定枠に対し、その上面から直交状に組み合わされ、双方間が各交叉部において仮固定状とされた段階において、一対のサイド固定枠相互の離反間隔を加工対象となる木材厚に相当するものに規制し、加工対象となる木材が動いたり、バラけてしまわないようにする機能を果たすと共に、自らの位置が、一対のサイド固定枠の上記した通過スリットとの関係で定まる所定箇所に仮固定され、電動ノコによる切断加工が、加工対象となる木材所定箇所で所定角度に正しく実施されるようにするためのガイド部材としての機能をも果たすものであり、前記したサイド固定枠とは違い、切断加工段階でノコ刃に全く接触する心配がないこと、両サイド固定枠相互の離反間隔を常に正しく維持しなければならないこと、切断加工中、電動ノコのベースを正しく案内しなければならないこと等といった機能達成のため、強度ある素材であって取り扱いが容易になるできるだけ軽量な素材、例えばアルミまたはスチール製のアングル材やチャンネル材、角パイプ等によって形成するようにする。
【００１６】
そして、この案内杆は、所定間隔離反させた一対のサイド固定枠上端面に直交状配置とする部分が直状の水平案内部とされた上、サイド固定枠との交叉部において、当該サイド固定枠を自らの軸芯上または軸芯に平行する線上に従って、その軸芯方向にスライド自在にすると共に、加工対象となる木材の厚みに応じた所望箇所において繰り返し仮固定、解除の操作が可能になるよう、その軸芯上または軸芯に平行する線上に長孔（バカ孔）を形成し、該長孔に、先のサイド固定枠側から突設した調節金具を嵌合状と成し、ナットまたは蝶ネジ締緩操作で双方が仮固定または解除されるようにしたものとする必要があり、この調節、仮固定機構は、一対のサイド固定枠双方の各交叉部に採用しても差支えはないが、何れか一方側のサイド固定枠との交叉部に採用しただけのものとしても略同様の目的を達成することができる。
【００１７】
また、場合によっては、この案内杆は、後述する実施例の一つのように、直状の水平案内部両端に、下方に向けて突設した支持部を有するようにした略下向きコの字形のものに形成したものと成し、水平案内部に固定状とした支持部の何れか一方または双方適所から、水平案内部と平行状であって、同水平案内部の軸心方向と同一方向に進退自在となるようにして当て板付きネジ棒が組み込まれてなるものに形成し、該ネジ棒の進退操作で間接的に一対のサイド固定枠離反間隔を調節可能となるようにしたものとしたり、支持部の上端を水平案内部の長孔にスライド自在且つ仮固定可能に接続したものとなし、支持部自体を垂直状のまま、加工すべき木材の厚み方向に移動自在となるようにしたものとすることも勿論可能である。なお、それら何れかの構造によるものとする場合でも、必ずしも両支持部を水平案内部に対してスライド自在とする必要はなく、何れか一方の支持部上端は、水平案内部に対して熔着、ビス止め、あるいは、所定長さ以上の水平案内部の一端側を強制的に屈曲形成する等して一体化されてなるものに形成しても略同様の目的達成可能なものとすることができる。
【００１８】
そして、上記のとおりの構成によって形成される一対のサイド固定枠および案内杆は、一対のサイド固定枠に対し、一対の案内杆が、各交叉部において当該サイド固定枠軸芯方向に適宜スライド自在となるようにした構造で組み合わされていて、使用する電動ノコの丸ノコが、サイド固定枠に設けられている通過スリットに正確に合致するようにした電動ノコベースの案内ができるようにするための位置合わせが成し得るようにしたものとされていなければならず、例えば、サイド固定枠側に取着される調節金具の基部を、サイド固定枠上端面に予め設けておいたスライド溝に嵌合させ、その溝方向に適宜移動できるようにした構造のものとしたり、あるいは調節金具の基部構造が、サイド固定枠上端の何処にでも挟着またはビス止めその他適宜公知の取付け手段で仮固定できるようにしたもの等とすることができる。
以下、図面に示すこの発明を代表する幾つかの実施例を詳述し、上記までのこの発明の電動ノコ用留め接ぎ加工枠具の基本的な構成が、より一層明確に把握されるようにしていく。
【００１９】
【実施例１】
図１は、この発明の電動ノコ用留め接ぎ加工枠具の基本的な構成からなるものの最も代表的な事例を示す斜視図、図２は、同側面図、図３は、同平面図であり、これら各図に示されたものは、通過スリット２が予めサイド固定枠１，１に一本、４５度の傾斜角度のものとして形成されると共に、案内杆３が直状のアングル材によって形成されてなる実施例によるものである。
【００２０】
この実施例による電動ノコ用留め接ぎ加工枠具は、例えば、自らが完成することに成功している既述の「木製建具枠用框組み構造」における建具枠等、建具材として一般的な材厚の３３ｍｍ（一寸）厚で、飾り留め接ぎ部３の形成に必要となる分だけ幅広とした１０５ｍｍ程度の枠材のように、比較的大断面の枠材からなる左右縦框用および上下桟用とする建具枠寸法で、框組み可能な長さのものを１建具枠当たり２本ずつ、都合４本を用意した上、一対の縦框材および一対の上下桟の夫々の両端で、組み合わせて入り隅を形成する部分の一部に、留め接ぎ用および飾り留め接ぎ用に４５度の切断加工が、図７の側面図の如く、繁用されてきている電動ノコＳ（図８）の使用によって常に正確で且つ簡便に実施することができるようにするものである。
【００２１】
縦長断面形の部材であって、その長さ方向略中央となる辺りに開口するようにして通過スリット２の形成されてなるサイド固定枠１，１を、二枚、互いに平行であって、加工対象となる建具枠のサイズ（例えば断面３３ｍｍ×１０５ｍｍ）の角材を、４５度の切断切り口が表れることとなる側面同士を横並び当接状となるようにして複数枚一まとめにしたままで挟着状となし得る間隔分（例えば、上記断面の角材による場合であれば、３０ｍｍの整数倍）だけ離反させた状態に配した上、夫々に形成されている通過スリット２の両側となる位置であって、電動ノコＳのベース幅ＳＬに略相当する間隔Ｌを隔てた箇所のサイド固定枠１，１上端面上に、横倒しＬ型材からなる一対の案内杆３，３を、夫々のウェブ辺が直接対面状（双方ともフランジよりも内側）であって直交状配置となるように載置し、蝶ネジによって一体化してなるものであり、図１の斜視図からも理解されるように、正面形が、両側に一対のサイド固定枠１，１が配され、その上端面を案内杆３，３で連繋した転倒コの字形となる枠具を実現するものであ。
【００２２】
一対のサイド固定枠１，１は、夫々上端面に軸芯方向に向かう鳩尾状断面の細溝１１，１１が設けられており、それら各細溝１１には、軸方向にだけスライド可能とした案内杆３固定用の止め金具４が夫々２個ずつ、通過スリット２の両側に位置するように装着してあり、横倒しＬ型材からなる一対の案内杆３，３は、夫々その一端側に調節用長孔３ａ，３ａが穿設されていて、加工すべき角材の厚さや同時に切断加工する角材の本数に対応した間隔Ｌが確保できる位置において、当該調節用長孔３ａに、上記したサイド固定枠１にスライド自在とした止め金具４を嵌合した上、更に、一対のサイド固定枠１，１の間隔を、作業者が使用する電動ノコＳのベース幅ＳＬに略相当する間隔Ｌ（ベースＳ１がブレないで平行移動できる間隔）にしてから、その位置がズレないよう注意して止め金具４を固定し、一対のサイド固定枠１，１が、必要な間隔を置いて平行配置となり、また、一対の案内杆３，３が、電動ノコＳのベース幅ＳＬに略相当する間隔Ｌに調節されてなるこの発明の電動ノコ用留め接ぎ加工枠具とするものである。
【００２３】
なお、この実施例では、一対のサイド固定枠１，１は、９０度の枠組み構造で最も一般的な４５度の通過スリット２とした事例となっているが、９０度の枠組み構造でも、一方を６０度、他方を３０度とするようなものでは、この通過スリット２の角度は、６０度、３０度のものを別々に用意する必要があり、また、額縁や木製時計枠等に応用されることがある多角形の枠組み構造、例えば八角形の枠組み構造の場合であれば、６５度にした通過スリット２を用意することになるといった具合に、必要に応じた角度に形成したものとしなければならず、また、通過スリット２は、使用する電動ノコＳの種類やアサリ厚に応じたスリット巾に形成したものとし、ノコ刃Ｓ２が不用意に接触しても、その刃Ｓ２を痛めることのないよう、全体を木製のサイド固定枠１とした上、直接、所定角度とした当該通過スリット２を形成するか、あるいは、木製以外の、例えばアルミニウム材製、プラスチック製等のサイド固定枠１としたものでは、当該通過スリット２形成部分だけを木製か、それに相当する硬さのもので形成するようにする。
【００２４】
【実施例２】
図４の要部の分解斜視図、および図５の正面図に示した事例は、一対のサイド固定枠１，１に組み合わせる一対の案内杆３，３の構造に係わる他の実施例を示すもので、斜め切断加工する上で通常最も繁用している角材寸法と本数とに応じて決定した長さで、両側には真下直角方向に、対象となる角材背寸法に応じた長さ延伸し、正面形において略転倒コの字形となるよう、アルミ製平角パイプによって案内杆３を形成した事例によるものである。
なお、この実施例では、前記実施例１と違い、通過スリット２が、サイド固定枠１の同一箇所においてＸ字状に二本、対称形になるように形成した事例となっている。
【００２５】
正面形略転倒コの字形とした案内杆３は、図からも理解されるとおり、アルミ製平角パイプを横長断面となるように使用してコの字形に一体化してあり、断面形短片側の寸法が、電動ノコＳのベースＳ１の実質厚よりもやや大きめのものとされていて、正面形略転倒コの字形として使用する段階における水平部分が、ベースＳ１の平行移動を安定して実施し得るようにする案内部３１となるようにしたものであり、その両端寄りには調節用長孔３１ａ，３１ａが穿設されていて、前記実施例１同様に、加工すべき角材の厚さや同時に切断加工する角材の本数に対応した間隔Ｌが確保できる位置において、当該調節用長孔３ａに、上記したサイド固定枠１にスライド自在としてある止め金具４を嵌合、仮固定できるようにしてある。
【００２６】
この案内部３１の両端からは、、直角真下方向に延伸する所定長さの抱え部３２，３２が一体形成されており、それら各抱え部３２，３２の下端よりの部分には、対象となる角材背寸法に応じて支持位置を変更可能にするための長孔３２ａ，３２ａが形成されていて、該長孔３２ａ，３２ａに遊嵌状且つ進退自在となるようにして位置決め金具５，５が装着、仮固定可能にしてあり、それら位置決め金具５，５の各取着片５１，５１に突設、形成してある釘部５２，５２、５２，５２により、対象となる角材に当接、挟着状とするサイド固定枠１，１を仮着状にした上、各サイド固定枠１，１が、対象とする角材に安定して当接できる最適な上下高さ位置となるよう、これら位置決め金具５，５全体の高さ位置を決めると共に、各サイド固定枠１，１間の必要な左右間隔位置となるよう、位置決め金具５，５の取着片５１，５１を左右方向に進退調節してから、位置決め金具５，５を夫々抱え部３２，３２に仮固定するようにしてなるものである。
【００２７】
【実施例３】
図６の一部を分解状にした斜視図に示す実施例は、この発明の電動ノコ用留め接ぎ加工枠具における通過スリット２形成部分に特徴を有するものの一例であり、同図からも理解されるとおり、基本的な構造については、前記した実施例１のものと同様にしてなるものの、同実施例が、サイド固定枠１の通過スリット２が、その角度を４５度に形成してあるため、例えば、６０度や３０度等の加工をしなければならなかったり、あるいは、角度は同じ４５度であっても、繰り返し使用している間に該通過スリット２に電動ノコＳノコ刃Ｓ２が触れて削られ、所定角度の切断加工する上での案内機能に支障を来し始めたとき等に、必要な正しい角度とした通過スリット２の形成してあるサイド固定枠１に全体を交換する必要があったのに対し、この実施例のものでは、サイド固定枠１の主要本体部分はそのままに、単に通過スリット２形成部分だけを必要で正しいものに交換可能にすれば足りるようにした代表的な事例である。
【００２８】
図からも明確に把握できるとおり、サイド固定枠１の長さ方向略中央辺りで、所定角度の通過スリット２形成上で必要となる長さ部分を、その上端面から、同じく所定角度の通過スリット２形成上で必要となる所定寸法分だけ切り込んで脱着部１２となし、側面形で略凹状としてなるアルミニウム製のサイド固定枠１を一対用意し、それら各脱着部１２の相対向する縦辺部分には、夫々嵌合用の案内溝部１３を形成すると共に、同案内溝部１３に望むようにした箇所となるサイド固定枠１側面には、一個または適宜個数の通孔１２ａ，１２ａ，……が穿設されている。
なお、該脱着部１２付きのサイド固定枠１，１で、中央辺り所定部分を除いた部分の上端面には、前記実施例１と同様に、軸芯方向に向かう鳩尾状断面の細溝１１，１１が設けられており、それら各細溝１１には、軸方向にだけスライド可能とした案内杆３固定用の止め金具４が夫々２個ずつ装着できるようにしてある。
【００２９】
このサイド固定枠１，１の脱着部１２には、同脱着部１２に上方から嵌合できる形状に形成した木製矩形状で、予め所定角度とした通過スリット２付きのサイド補助枠１４，１４が嵌合、一体化されるようにしてあり、したがって、それら各サイド補助枠１４，１４とも、先のサイド固定枠１脱着部１２の両案内溝部１３に上方からスライド嵌合可能となるように、両端形状が平面形凸状に切欠き加工されて嵌め込み部１５，１５としてなるものに形成されており、サイド固定枠１の脱着部１２にスライド嵌合した後、同脱着部１２に用意してある通孔１２ａ，１２ａ，……から仮固定用のビス１６を挿入、サイド補助枠１４嵌め込み部１５にねじ込み、両者を一体化すると、各サイド補助枠１４，１４は、サイド固定枠１，１の中央辺り所定部分において、その側面、上端面ともサイド固定枠１，１の側面および上端面と略面一状とし、全体形が前記した実施例１と同様のサイド固定枠１，１になるようにしたものである。
【００３０】
また、この実施例では、サイド補助枠１４には、上記実施例２の場合と同様に、交叉状であって、同一角度にした二本の通過スリット２，２を予め形成してあり、この発明の電動ノコ用留め接ぎ加工枠具の向きを変えなくとも、傾斜方向が完全に対称形となる切断加工ができるようにしたり、あるいは、一方の通過スリット２だけを繰り返し使用した結果、当該通過スリット２の角度案内機能に支障を来し始めたときには、サイド補助枠１４をサイド固定枠１，１脱着部１２から離脱、交換しなくても、暫くは向きを変えて他方の通過スリット２を選択、使用ができるようにしたものに形成してなる実施例となっており、この交叉状に二本の通過スリット２，２を予め形成するようにした手段は、勿論、前記実施例１においても採用可能となることはいうまでもないことである。
【００３１】
なお、この実施例のサイド補助枠１４の上端面には、サイド固定枠１，１の細溝１１，１１に連通状となるようにして、同様の細溝１１，１１を形成してなるものとしてあるが、電動ノコＳのベースＳ１の巾とサイド補助枠１４の長さとの兼ね合いによっては、それら細溝１１，１１の形成を省略することができる上、嵌め込み部１５，１５も、サイド固定枠１脱着部１２との仮固定手段によっては、省略または他の手段に変更することも可能になり、特にこの実施例によるものに限定されている訳ではない。
【００３２】
【作用】
以上のとおりの構成からなるこの発明の電動ノコ用留め接ぎ加工枠具は、図５の正面図に示すように、加工すべき複数枚の木材Ｗ，Ｗ，……を一まとめした上、その両側、最外側となる木材Ｗ，Ｗの側面に当該加工枠具のサイド固定枠２，２を直接当接状となるよう、案内杆３，３に対する一対のサイド固定枠１，１の間隔を調節すると共に、案内杆３，３相互の間隔Ｌも電動ノコＳのベース幅ＳＬに略相当する間隔に調節してサイド固定枠１，１と案内杆３，３とが一体化して、正面形が転倒コの字形となるようにするか、あるいは、実施例２に示したものにあっては、抱え部３２，３２から進退自在にした位置決め金具５，５の取着片５１，５１釘部５２，５２、５２，５２にサイド固定枠１，１を仮着状にしてから、当該位置決め金具５，５の進退調節によって一対のサイド固定枠１，１の間隔を調節すると共に、合わせて案内杆３，３相互の間隔Ｌも、同様に電動ノコＳのベース幅ＳＬに略相当する間隔に調節してサイド固定枠１，１と案内杆３，３とを一体化した正面形転倒コの字形にして使用するものである。
【００３３】
なお、当然のことながら、一対のサイド固定枠１，１に対する案内杆３，３の位置は、各サイド固定枠１，１に予め通過スリット２が形成されている場合には、手持ちの電動ノコＳのノコ刃Ｓ２がその通過スリット２に合致するようにした調節を必要とするが、場合によっては、一対のサイド固定枠１，１には、予め通過スリット２を形成したものとせず、一対のサイド固定枠１，１の上端面略中央辺りにおいて案内杆３，３相互の間隔Ｌだけを調節してサイド固定枠１，１と案内杆３，３とを一体化した後、電動ノコＳのノコ刃Ｓ２を所望する角度に固定した状態で当該電動ノコＳを案内杆３，３に従って水平移動し、その段階で加工すべき木材Ｗ，Ｗ，……共々、一対のサイド固定枠１，１所定箇所に、所望する角度の通過スリット２を形成するようにしても差支えはない。
【００３４】
こうして加工すべき複数枚の木材Ｗ，Ｗ，……に組み合わせたこの発明の電動ノコ用留め接ぎ加工枠具に対し、図７の側面図のように、手持ちの電動ノコＳのベースＳ１が、調節済みの案内杆３，３の間に嵌まるようにした上、それら案内杆３，３をガイドにして水平移動すると、複数枚の木材Ｗ，Ｗ，……は、常に所望する角度に切断加工することができるものであり、この加工には、この発明の電動ノコ用留め接ぎ加工枠具におけるサイド固定枠１，１に対する案内杆３，３の組み合わせ、調節を正しく仮固定状とするだけで、特別の熟練技能なくして誰にでも実施可能とすることになる。
【００３５】
【効果】
したがって、この発明の電動ノコ用留め接ぎ加工枠具によれば、現在では木工加工用の必需品となっていて、木工加工に従事する者であれば全て持ち合わせている電動ノコが、加工すべき複数枚の木材を一まとめしたまま、全て所定箇所を所望する角度に正確に切断加工することを可能にするものであり、しかも、従前までの作業のように、長年の修行によって漸く実施可能になる訳ではなく、電動ノコの使用が可能な作業者でありさえすれば、誰が実施しても同一の正確な切断加工を可能にするものとなることから、特に正確な切り込みを必要とする建具加工においてその加工精度を大いに高めると共に、大幅に加工効率を改善して大量生産を可能にし、経営基盤を安定させるという極めて大きな特徴を発揮することになる。
【００３６】
また、実施例１に取り上げた電動ノコ用留め接ぎ加工枠具では、案内杆３，３の構造が極めて簡潔であって、一対のサイド固定枠１，１への組み合わせ構造も平易なものとなっていて、加工枠具自体の製造も容易なものとなって安価に提供できるものになると共に、それだけ取り扱いの容易なものとすることができ、また、実施例２に示したものでは、一対の案内杆３，３が夫々抱え部３２，３２を有するものになっていて、一対のサイド固定枠１，１との組み合わせが極めて安定したものになって、加工すべき複数枚の木材Ｗ，Ｗ，……への組み合わせがより正確に且つ安定して実施できるものとなることから、繰り返し実施する切断加工は常に正しく実施できるものになる。
【００３７】
そして、実施例３のものでは、繰り返し切断加工を実施して、通過スリット２のノコ刃Ｓ２のブレを規制するガイド機能に低下現象を生じ始めたときにも、サイド固定枠１，１の主要部分をそのままに、単に通過スリット２形成部分だけを交換しさえすれば済ますことができるものとなって、この発明の加工枠具を長年に亘って使用することができるものになるという有利な効果が得られ、何れも極めて実用的な利点を兼ね備えたものとなっている。
【００３８】
叙述の如く、この発明の電動ノコ用留め接ぎ加工枠具は、その新規な構成によって所期の目的を遍く達成可能とし、しかも製造容易で比較的安価に提供可能とするものであり、最近では熟練工が減少し過ぎてしまい、我が国古来からの伝統的な木工、例えば飾り入り隅の付いた留め接ぎ加工を採用した建具等が、寺院等の特殊建築物にだけ時間と経費とを費やして漸く受け継がれ、実施されているに過ぎない実情に対し、それら伝統的な細工が手持ちの電動ノコで極めて簡便且つ正確に実現することを可能にする結果、一般住宅等にも比較的手軽に採用し得るものとなることから、生産性等の理由からプレファブ建築が主流となり始めて久しい我が国の住宅等において、室内の様相だけでも品格のある落ち着いた雰囲気作りを容易にするものとなり、単に木工業界からだけではなく、一般市民からも高い評価が得られ、広く普及していくものになると予想される。
【図面の簡単な説明】
図面は、この発明の電動ノコ用留め接ぎ加工枠具を代表する幾つかの実施例を示したものである。
【図１】この発明の基本的な構成からなるものの最も代表的な電動ノコ用留め接ぎ加工枠具を示す斜視図である。
【図２】同側面図である。
【図３】同平面図である。
【図４】他の実施例によるものの要部の分解斜視図である。
【図５】同正面図である。
【図６】更に他の実施例によるものの一部を分下状態で示す全体斜視図である。
【図７】使用状態を示す側面図である。
【図８】この発明の留め接ぎ加工枠具による加工に使用する一般的な電動ノコである。
【符号の説明】
１        サイド固定枠
１１      同  細溝
１２      同  脱着部
１２ａ    同  通孔
１３      同  案内溝部
１４      同  サイド補助枠
１５      同  嵌め込み部
２        通過スリット
３        案内杆
３ａ      同  調節用長孔
３１      同  案内部
３１ａ    同  調節用長孔
３２      同  抱え部
３２ａ    同  長孔
４        止め金具
５        位置決め金具
５１      同  取着片
５２      同  釘部
Ｌ        案内杆相互の間隔
Ｓ        電動ノコ
Ｓ１      同  ベース
Ｓ２      同  ノコ刃
Ｓ３      同  ハンドル
Ｓ４      同  角度調整部
Ｓ５      同  安全カバー
Ｓ６      同  電線コード
ＳＬ      同  ベース巾
Ｗ        木  材
【図１】
0003542957.tif 000002
【図２】
0003542957.tif 000003
【図３】
0003542957.tif 000004
【図４】
0003542957.tif 000005
【図５】
0003542957.tif 000006
【図６】
0003542957.tif 000007
【図７】
0003542957.tif 000008
【図８】
0003542957.tif 000009